(57)【特許請求の範囲】
【請求項１】
映像データが１フレームごとに順次書き込みおよび読み出しされる第１のモードと前記１フレームより小さく分割されたサブフレーム領域ごとに順次書き込みおよび読み出しされる第２のモードとを有するメモリ手段と、
前記メモリ手段に書き込まれる前記映像データとして、入力映像データを圧縮して生成した圧縮映像データを出力する圧縮出力状態と前記入力映像データを圧縮せずに非圧縮映像データとして出力する非圧縮出力状態とに切り替え可能な圧縮手段と、
前記メモリ手段から読み出された前記圧縮映像データを復元して出力する復元出力状態と前記メモリ手段から読み出された前記非圧縮映像データを復元せずに出力する非復元出力状態とに切り替え可能な復元手段と、
前記圧縮手段への入力映像の垂直ブランキング期間を入力垂直ブランキング期間とし、前記復元手段からの出力映像の垂直ブランキング期間を出力垂直ブランキング期間とするとき、第１の入力垂直ブランキング期間において前記圧縮手段を前記非圧縮出力状態から前記圧縮出力状態に切り替え、前記第１の入力垂直ブランキング期間と同時または該第１の入力垂直ブランキング期間の次の第１の出力垂直ブランキング期間において前記復元手段を前記非復元出力状態から前記復元出力状態に切り替え、前記第１の出力垂直ブランキング期間または該第１の出力垂直ブランキング期間の次の第２の出力垂直ブランキング期間において前記メモリ手段を前記第２のモードから前記第１のモードに切り替える制御手段とを有することを特徴とする画像表示装置。
【請求項２】
映像データが１フレームごとに順次書き込みおよび読み出しされる第１のモードと前記１フレームより小さく分割されたサブフレーム領域ごとに順次書き込みおよび読み出しされる第２のモードとを有するメモリ手段と、
前記メモリ手段に書き込まれる前記映像データとして、入力映像データを圧縮して生成した圧縮映像データを出力する圧縮出力状態と前記入力映像データを圧縮せずに非圧縮映像データとして出力する非圧縮出力状態とに切り替え可能な圧縮手段と、
前記メモリ手段から読み出された前記圧縮映像データを復元して出力する復元出力状態と前記メモリ手段から読み出された前記非圧縮映像データを復元せずに出力する非復元出力状態とに切り替え可能な復元手段と、
前記圧縮手段への入力映像の垂直ブランキング期間を入力垂直ブランキング期間とし、前記復元手段からの出力映像の垂直ブランキング期間を出力垂直ブランキング期間とするとき、第１の出力垂直ブランキング期間において前記メモリ手段を前記第１のモードから前記第２のモードに切り替え、前記第１の出力垂直ブランキング期間の次の第１の入力垂直ブランキング期間において前記圧縮手段を前記圧縮出力状態から前記非圧縮出力状態に切り替え、前記第１の入力垂直ブランキング期間と同時または該第１の入力垂直ブランキング期間の次の第２の出力垂直ブランキング期間において前記復元手段を前記復元出力状態から前記非復元出力状態に切り替える制御手段とを有することを特徴とする画像表示装置。
【請求項３】
映像データが１フレームごとに順次書き込みおよび読み出しされる第１のモードと前記１フレームより小さく分割されたサブフレーム領域ごとに順次書き込みおよび読み出しされる第２のモードとを有するメモリ手段と、
前記メモリ手段に書き込まれる前記映像データとして、入力映像データを圧縮して生成した圧縮映像データを出力する圧縮出力状態と前記入力映像データを圧縮せずに非圧縮映像データとして出力する非圧縮出力状態とに切り替え可能な圧縮手段と、
前記メモリ手段から読み出された前記圧縮映像データを復元して出力する復元出力状態と前記メモリ手段から読み出された前記非圧縮映像データを復元せずに出力する非復元出力状態とに切り替え可能な復元手段と、
前記圧縮手段への入力映像の垂直ブランキング期間を入力垂直ブランキング期間とし、前記復元手段からの出力映像の垂直ブランキング期間を出力垂直ブランキング期間とするとき、第１の出力垂直ブランキング期間または第１の入力垂直ブランキング期間において前記圧縮手段を前記非圧縮出力状態から前記圧縮出力状態に切り替えるとともに前記復元手段を前記非復元出力状態から前記復元出力状態に切り替え、前記第１の出力垂直ブランキング期間および前記第１の入力垂直ブランキング期間の次の第２の出力垂直ブランキング期間において前記メモリ手段を前記第２のモードから前記第１のモードに切り替える制御手段とを有することを特徴とする画像表示装置。
【請求項４】
前記制御手段は、前記第１の出力垂直ブランキング期間において前記圧縮手段を前記非圧縮出力状態から前記圧縮出力状態に切り替えるとともに前記復元手段を前記非復元出力状態から前記復元出力状態に切り替え、
前記第１の出力垂直ブランキング期間のその直前の入力垂直ブランキング期間に対する遅延時間を、前記第１の出力垂直ブランキング期間以外の出力垂直ブランキング期間のその直前の入力垂直ブランキング期間に対する遅延時間よりも短くする遅延調整手段を有することを特徴とする請求項３に記載の画像表示装置。
【請求項５】
映像データが１フレームごとに順次書き込みおよび読み出しされる第１のモードと前記１フレームより小さく分割されたサブフレーム領域ごとに順次書き込みおよび読み出しされる第２のモードとを有するメモリ手段と、
前記メモリ手段に書き込まれる前記映像データとして、入力映像データを圧縮して生成した圧縮映像データを出力する圧縮出力状態と前記入力映像データを圧縮せずに非圧縮映像データとして出力する非圧縮出力状態とに切り替え可能な圧縮手段と、
前記メモリ手段から読み出された前記圧縮映像データを復元して出力する復元出力状態と前記メモリ手段から読み出された前記非圧縮映像データを復元せずに出力する非復元出力状態とに切り替え可能な復元手段と、
前記圧縮手段への入力映像の垂直ブランキング期間を入力垂直ブランキング期間とし、前記復元手段からの出力映像の垂直ブランキング期間を出力垂直ブランキング期間とするとき、第１の出力垂直ブランキング期間において前記メモリ手段を前記第１のモードから前記第２のモードに切り替え、前記第１の出力垂直ブランキング期間の次の第２の出力垂直ブランキング期間または該第２の出力垂直ブランキング期間の次の第１の入力垂直ブランキング期間において前記圧縮手段を前記圧縮出力状態から前記非圧縮出力状態に切り替えるとともに前記復元手段を前記復元出力状態から前記非復元出力状態に切り替える制御手段とを有することを特徴とする画像表示装置。
【請求項６】
前記制御手段は、前記第２の出力垂直ブランキング期間において前記圧縮手段を前記圧縮出力状態から前記非圧縮出力状態に切り替えるとともに前記復元手段を前記復元出力状態から前記非復元出力状態に切り替え、
前記第２の出力垂直ブランキング期間のその直前の入力垂直ブランキング期間に対する遅延時間を、前記第２の出力垂直ブランキング期間以外の出力垂直ブランキング期間のその直前の入力垂直ブランキング期間に対する遅延時間よりも短くする遅延調整手段を有することを特徴とする請求項５に記載の画像表示装置。
【請求項７】
映像データが１フレームごとに順次書き込みおよび読み出しされる第１のモードと前記１フレームより小さく分割されたサブフレーム領域ごとに順次書き込みおよび読み出しされる第２のモードとを有するメモリ手段と、
前記メモリ手段に書き込まれる前記映像データとして、入力映像データを圧縮して生成した圧縮映像データを出力する圧縮出力状態と前記入力映像データを圧縮せずに非圧縮映像データとして出力する非圧縮出力状態とに切り替え可能な圧縮手段と、前記メモリ手段から読み出された前記圧縮映像データを復元して出力する復元出力状態と前記メモリ手段から読み出された前記非圧縮映像データを復元せずに出力する非復元出力状態とに切り替え可能な復元手段とを有する画像表示装置の制御方法であって、
前記圧縮手段への入力映像の垂直ブランキング期間を入力垂直ブランキング期間とし、前記復元手段からの出力映像の垂直ブランキング期間を出力垂直ブランキング期間とするとき、
第１の入力垂直ブランキング期間において前記圧縮手段を前記非圧縮出力状態から前記圧縮出力状態に切り替えるステップと、
前記第１の入力垂直ブランキング期間と同時または該第１の入力垂直ブランキング期間の次の第１の出力垂直ブランキング期間において前記復元手段を前記非復元出力状態から前記復元出力状態に切り替えるステップと、
前記第１の出力垂直ブランキング期間または該第１の出力垂直ブランキング期間の次の第２の出力垂直ブランキング期間において前記メモリ手段を前記第２のモードから前記第１のモードに切り替えるステップとを有することを特徴とする画像表示装置の制御方法。
【請求項８】
映像データが１フレームごとに順次書き込みおよび読み出しされる第１のモードと前記１フレームより小さく分割されたサブフレーム領域ごとに順次書き込みおよび読み出しされる第２のモードとを有するメモリ手段と、
前記メモリ手段に書き込まれる前記映像データとして、入力映像データを圧縮して生成した圧縮映像データを出力する圧縮出力状態と前記入力映像データを圧縮せずに非圧縮映像データとして出力する非圧縮出力状態とに切り替え可能な圧縮手段と、
前記メモリ手段から読み出された前記圧縮映像データを復元して出力する復元出力状態と前記メモリ手段から読み出された前記非圧縮映像データを復元せずに出力する非復元出力状態とに切り替え可能な復元手段とを有する画像表示装置の制御方法であって、
前記圧縮手段への入力映像の垂直ブランキング期間を入力垂直ブランキング期間とし、前記復元手段からの出力映像の垂直ブランキング期間を出力垂直ブランキング期間とするとき、
第１の出力垂直ブランキング期間において前記メモリ手段を前記第１のモードから前記第２のモードに切り替えるステップと、
前記第１の出力垂直ブランキング期間の次の第１の入力垂直ブランキング期間において前記圧縮手段を前記圧縮出力状態から前記非圧縮出力状態に切り替えるステップと、
前記第１の入力垂直ブランキング期間と同時または該第１の入力垂直ブランキング期間の次の第２の出力垂直ブランキング期間において前記復元手段を前記復元出力状態から前記非復元出力状態に切り替えるステップとを有することを特徴とする画像表示装置の制御方法。
【請求項９】
映像データが１フレームごとに順次書き込みおよび読み出しされる第１のモードと前記１フレームより小さく分割されたサブフレーム領域ごとに順次書き込みおよび読み出しされる第２のモードとを有するメモリ手段と、
前記メモリ手段に書き込まれる前記映像データとして、入力映像データを圧縮して生成した圧縮映像データを出力する圧縮出力状態と前記入力映像データを圧縮せずに非圧縮映像データとして出力する非圧縮出力状態とに切り替え可能な圧縮手段と、
前記メモリ手段から読み出された前記圧縮映像データを復元して出力する復元出力状態と前記メモリ手段から読み出された前記非圧縮映像データを復元せずに出力する非復元出力状態とに切り替え可能な復元手段とを有する画像表示装置の制御方法であって、
前記圧縮手段への入力映像の垂直ブランキング期間を入力垂直ブランキング期間とし、前記復元手段からの出力映像の垂直ブランキング期間を出力垂直ブランキング期間とするとき、
第１の出力垂直ブランキング期間または第１の入力垂直ブランキング期間において前記圧縮手段を前記非圧縮出力状態から前記圧縮出力状態に切り替えるとともに前記復元手段を前記非復元出力状態から前記復元出力状態に切り替えるステップと、
前記第１の出力垂直ブランキング期間および前記第１の入力垂直ブランキング期間の次の第２の出力垂直ブランキング期間において前記メモリ手段を前記第２のモードから前記第１のモードに切り替えるステップとを有することを特徴とする画像表示装置の制御方法。
【請求項１０】
映像データが１フレームごとに順次書き込みおよび読み出しされる第１のモードと前記１フレームより小さく分割されたサブフレーム領域ごとに順次書き込みおよび読み出しされる第２のモードとを有するメモリ手段と、
前記メモリ手段に書き込まれる前記映像データとして、入力映像データを圧縮して生成した圧縮映像データを出力する圧縮出力状態と前記入力映像データを圧縮せずに非圧縮映像データとして出力する非圧縮出力状態とに切り替え可能な圧縮手段と、
前記メモリ手段から読み出された前記圧縮映像データを復元して出力する復元出力状態と前記メモリ手段から読み出された前記非圧縮映像データを復元せずに出力する非復元出力状態とに切り替え可能な復元手段とを有する画像表示装置の制御方法であって、
前記圧縮手段への入力映像の垂直ブランキング期間を入力垂直ブランキング期間とし、前記復元手段からの出力映像の垂直ブランキング期間を出力垂直ブランキング期間とするとき、
第１の出力垂直ブランキング期間において前記メモリ手段を前記第１のモードから前記第２のモードに切り替えるステップと、
前記第１の出力垂直ブランキング期間の次の第２の出力垂直ブランキング期間または該第２の出力垂直ブランキング期間の次の第１の入力垂直ブランキング期間において前記圧縮手段を前記圧縮出力状態から前記非圧縮出力状態に切り替えるとともに前記復元手段を前記復元出力状態から前記非復元出力状態に切り替えるステップとを有することを特徴とする画像表示装置の制御方法。
【発明の詳細な説明】
【技術分野】
【０００１】
本発明は、プロジェクタやモニタ等の画像表示装置に関する。
【背景技術】
【０００２】
画像表示装置には、大きな解像度の映像信号（映像データ）が入力される場合があり、この場合、映像データが大容量化する。大容量化した映像データに対応するため、画像表示装置に設けられるフレームバッファの容量を増加させたりフレームバッファに対するアクセス速度を高速にしたりすると、コストが増大する。このため、映像データを圧縮することで、フレームバッファに書き込む映像データの容量を小さくする技術が広く用いられている。
【０００３】
圧縮処理は、ビットシフトのような単純な手法を用いて行うことがコストの面からは望ましいが、そのような圧縮手法は非可逆色（階調）圧縮処理であるため、画質の劣化を伴う。したがって、非可逆色圧縮処理を適用する場合を制限する必要がある。
【０００４】
例えば、特許文献１には、非可逆色圧縮処理を適用する場合を制限するために、キーストーン調節の有効／無効に応じて非可逆色圧縮処理の適用／不適用を切り替える画像表示装置が開示されている。
【先行技術文献】
【特許文献】
【０００５】
【特許文献１】特開２００７−７２３６０号公報
【発明の概要】
【発明が解決しようとする課題】
【０００６】
しかしながら、特許文献１にて開示された画像表示装置では、ビットシフトのような非可逆色圧縮処理の適用／不適用の切り替え時に生じる映像の乱れを隠す必要がある。このため、可逆色圧縮処理の適用／不適用の切り替えが頻繁に行われる場合に使用することができない。
【０００７】
本発明は、非可逆圧縮処理の適用／不適用の切り替え時における映像の乱れや途切れを減少させることができるようにした画像表示装置を提供する。
【課題を解決するための手段】
【０００８】
本発明の一側面としての画像表示装置は、映像データが１フレームごとに順次書き込みおよび読み出しされる第１のモードと１フレームより小さく分割されたサブフレーム領域ごとに順次書き込みおよび読み出しされる第２のモードとを有するメモリ手段と、メモリ手段に書き込まれる映像データとして、入力映像データを圧縮して生成した圧縮映像データを出力する圧縮出力状態と入力映像データを圧縮せずに非圧縮映像データとして出力する非圧縮出力状態とに切り替え可能な圧縮手段と、メモリ手段から読み出された圧縮映像データを復元して出力する復元出力状態とメモリ手段から読み出された非圧縮映像データを復元せずに出力する非復元出力状態とに切り替え可能な復元手段と、圧縮手段への入力映像の垂直ブランキング期間を入力垂直ブランキング期間とし、復元手段からの出力映像の垂直ブランキング期間を出力垂直ブランキング期間とするとき、第１の入力垂直ブランキング期間において圧縮手段を非圧縮出力状態から圧縮出力状態に切り替え、第１の入力垂直ブランキング期間と同時または該第１の入力垂直ブランキング期間の次の第１の出力垂直ブランキング期間において復元手段を非復元出力状態から復元出力状態に切り替え、第１の出力垂直ブランキング期間または該第１の出力垂直ブランキング期間の次の第２の出力垂直ブランキング期間においてメモリ手段を第２のモードから第１のモードに切り替える制御手段とを有することを特徴とする。
【０００９】
本発明の他の一側面としての画像表示装置は、映像データが１フレームごとに順次書き込みおよび読み出しされる第１のモードと１フレームより小さく分割されたサブフレーム領域ごとに順次書き込みおよび読み出しされる第２のモードとを有するメモリ手段と、メモリ手段に書き込まれる映像データとして、入力映像データを圧縮して生成した圧縮映像データを出力する圧縮出力状態と入力映像データを圧縮せずに非圧縮映像データとして出力する非圧縮出力状態とに切り替え可能な圧縮手段と、メモリ手段から読み出された圧縮映像データを復元して出力する復元出力状態とメモリ手段から読み出された非圧縮映像データを復元せずに出力する非復元出力状態とに切り替え可能な復元手段と、圧縮手段への入力映像の垂直ブランキング期間を入力垂直ブランキング期間とし、復元手段からの出力映像の垂直ブランキング期間を出力垂直ブランキング期間とするとき、第１の出力垂直ブランキング期間においてメモリ手段を第１のモードから第２のモードに切り替え、第１の出力垂直ブランキング期間の次の第１の入力垂直ブランキング期間において圧縮手段を圧縮出力状態から非圧縮出力状態に切り替え、第１の入力垂直ブランキング期間と同時または該第１の入力垂直ブランキング期間の次の第２の出力垂直ブランキング期間において復元手段を復元出力状態から非復元出力状態に切り替える制御手段とを有することを特徴とする。
【００１０】
本発明のさらに他の一側面としての画像表示装置は、映像データが１フレームごとに順次書き込みおよび読み出しされる第１のモードと１フレームより小さく分割されたサブフレーム領域ごとに順次書き込みおよび読み出しされる第２のモードとを有するメモリ手段と、メモリ手段に書き込まれる映像データとして、入力映像データを圧縮して生成した圧縮映像データを出力する圧縮出力状態と入力映像データを圧縮せずに非圧縮映像データとして出力する非圧縮出力状態とに切り替え可能な圧縮手段と、メモリ手段から読み出された圧縮映像データを復元して出力する復元出力状態とメモリ手段から読み出された非圧縮映像データを復元せずに出力する非復元出力状態とに切り替え可能な復元手段と、圧縮手段への入力映像の垂直ブランキング期間を入力垂直ブランキング期間とし、復元手段からの出力映像の垂直ブランキング期間を出力垂直ブランキング期間とするとき、第１の出力垂直ブランキング期間または第１の入力垂直ブランキング期間において圧縮手段を非圧縮出力状態から圧縮出力状態に切り替えるとともに復元手段を非復元出力状態から復元出力状態に切り替え、第１の出力垂直ブランキング期間および第１の入力垂直ブランキング期間の次の第２の出力垂直ブランキング期間においてメモリ手段を第２のモードから第１のモードに切り替える制御手段とを有することを特徴とする。
【００１１】
本発明のさらに他の一側面としての画像表示装置は、映像データが１フレームごとに順次書き込みおよび読み出しされる第１のモードと１フレームより小さく分割されたサブフレーム領域ごとに順次書き込みおよび読み出しされる第２のモードとを有するメモリ手段と、メモリ手段に書き込まれる映像データとして、入力映像データを圧縮して生成した圧縮映像データを出力する圧縮出力状態と入力映像データを圧縮せずに非圧縮映像データとして出力する非圧縮出力状態とに切り替え可能な圧縮手段と、メモリ手段から読み出された圧縮映像データを復元して出力する復元出力状態とメモリ手段から読み出された非圧縮映像データを復元せずに出力する非復元出力状態とに切り替え可能な復元手段と、圧縮手段への入力映像の垂直ブランキング期間を入力垂直ブランキング期間とし、復元手段からの出力映像の垂直ブランキング期間を出力垂直ブランキング期間とするとき、第１の出力垂直ブランキング期間においてメモリ手段を第１のモードから第２のモードに切り替え、第１の出力垂直ブランキング期間の次の第２の出力垂直ブランキング期間または該第２の出力垂直ブランキング期間の次の第１の入力垂直ブランキング期間において圧縮手段を圧縮出力状態から非圧縮出力状態に切り替えるとともに復元手段を復元出力状態から非復元出力状態に切り替える制御手段とを有することを特徴とする。
【００１２】
本発明のさらに他の一側面としての制御方法は、映像データが１フレームごとに順次書き込みおよび読み出しされる第１のモードと１フレームより小さく分割されたサブフレーム領域ごとに順次書き込みおよび読み出しされる第２のモードとを有するメモリ手段と、メモリ手段に書き込まれる映像データとして、入力映像データを圧縮して生成した圧縮映像データを出力する圧縮出力状態と入力映像データを圧縮せずに非圧縮映像データとして出力する非圧縮出力状態とに切り替え可能な圧縮手段と、メモリ手段から読み出された圧縮映像データを復元して出力する復元出力状態とメモリ手段から読み出された非圧縮映像データを復元せずに出力する非復元出力状態とに切り替え可能な復元手段とを有する画像表示装置に適用される。該制御方法は、圧縮手段への入力映像の垂直ブランキング期間を入力垂直ブランキング期間とし、復元手段からの出力映像の垂直ブランキング期間を出力垂直ブランキング期間とするとき、第１の入力垂直ブランキング期間において圧縮手段を非圧縮出力状態から圧縮出力状態に切り替えるステップと、第１の入力垂直ブランキング期間と同時または該第１の入力垂直ブランキング期間の次の第１の出力垂直ブランキング期間において復元手段を非復元出力状態から復元出力状態に切り替えるステップと、第１の出力垂直ブランキング期間または該第２の出力垂直ブランキング期間の次の第２の出力垂直ブランキング期間においてメモリ手段を第２のモードから第１のモードに切り替えるステップとを有することを特徴とする。
【００１３】
本発明のさらに他の一側面としての制御方法は、映像データが１フレームごとに順次書き込みおよび読み出しされる第１のモードと１フレームより小さく分割されたサブフレーム領域ごとに順次書き込みおよび読み出しされる第２のモードとを有するメモリ手段と、メモリ手段に書き込まれる映像データとして、入力映像データを圧縮して生成した圧縮映像データを出力する圧縮出力状態と入力映像データを圧縮せずに非圧縮映像データとして出力する非圧縮出力状態とに切り替え可能な圧縮手段と、メモリ手段から読み出された圧縮映像データを復元して出力する復元出力状態とメモリ手段から読み出された非圧縮映像データを復元せずに出力する非復元出力状態とに切り替え可能な復元手段とを有する画像表示装置に適用される。該制御方法は、圧縮手段への入力映像の垂直ブランキング期間を入力垂直ブランキング期間とし、復元手段からの出力映像の垂直ブランキング期間を出力垂直ブランキング期間とするとき、第１の出力垂直ブランキング期間においてメモリ手段を第１のモードから第２のモードに切り替えるステップと、第１の出力垂直ブランキング期間の次の第１の入力垂直ブランキング期間において圧縮手段を圧縮出力状態から非圧縮出力状態に切り替えるステップと、第１の入力垂直ブランキング期間と同時または該第１の入力垂直ブランキング期間の次の第２の出力垂直ブランキング期間において復元手段を復元出力状態から非復元出力状態に切り替えるステップとを有することを特徴とする。
【００１４】
本発明のさらに他の一側面としての制御方法は、映像データが１フレームごとに順次書き込みおよび読み出しされる第１のモードと１フレームより小さく分割されたサブフレーム領域ごとに順次書き込みおよび読み出しされる第２のモードとを有するメモリ手段と、メモリ手段に書き込まれる映像データとして、入力映像データを圧縮して生成した圧縮映像データを出力する圧縮出力状態と入力映像データを圧縮せずに非圧縮映像データとして出力する非圧縮出力状態とに切り替え可能な圧縮手段と、メモリ手段から読み出された圧縮映像データを復元して出力する復元出力状態とメモリ手段から読み出された非圧縮映像データを復元せずに出力する非復元出力状態とに切り替え可能な復元手段とを有する画像表示装置に適用される。該制御方法は、圧縮手段への入力映像の垂直ブランキング期間を入力垂直ブランキング期間とし、復元手段からの出力映像の垂直ブランキング期間を出力垂直ブランキング期間とするとき、第１の出力垂直ブランキング期間または第１の入力垂直ブランキング期間において圧縮手段を非圧縮出力状態から圧縮出力状態に切り替えるとともに復元手段を非復元出力状態から復元出力状態に切り替えるステップと、第１の出力垂直ブランキング期間および第１の入力垂直ブランキング期間の次の第２の出力垂直ブランキング期間においてメモリ手段を第２のモードから第１のモードに切り替えるステップとを有することを特徴とする。
【００１５】
本発明のさらに他の一側面としての制御方法は、映像データが１フレームごとに順次書き込みおよび読み出しされる第１のモードと１フレームより小さく分割されたサブフレーム領域ごとに順次書き込みおよび読み出しされる第２のモードとを有するメモリ手段と、メモリ手段に書き込まれる映像データとして、入力映像データを圧縮して生成した圧縮映像データを出力する圧縮出力状態と入力映像データを圧縮せずに非圧縮映像データとして出力する非圧縮出力状態とに切り替え可能な圧縮手段と、メモリ手段から読み出された圧縮映像データを復元して出力する復元出力状態とメモリ手段から読み出された非圧縮映像データを復元せずに出力する非復元出力状態とに切り替え可能な復元手段とを有する画像表示装置に適用される。該制御方法は、圧縮手段への入力映像の垂直ブランキング期間を入力垂直ブランキング期間とし、復元手段からの出力映像の垂直ブランキング期間を出力垂直ブランキング期間とするとき、第１の出力垂直ブランキング期間においてメモリ手段を第１のモードから第２のモードに切り替えるステップと、第１の出力垂直ブランキング期間の次の第２の出力垂直ブランキング期間または該第２の出力垂直ブランキング期間の次の第１の入力垂直ブランキング期間において圧縮手段を圧縮出力状態から非圧縮出力状態に切り替えるとともに復元手段を復元出力状態から非復元出力状態に切り替えるステップとを有することを特徴とする。
【発明の効果】
【００１６】
本発明によれば、非可逆圧縮処理の適用／不適用の切り替え時における映像の乱れや途切れの発生を従来よりも低減することができる。
【図面の簡単な説明】
【００１７】
【図１】本発明の実施例１である画像表示装置の構成を示すブロック図。
【図２】実施例１の画像表示装置における切り替えタイミングを示す図。
【図３】本発明の実施例２である画像表示装置の構成を示すブロック図。
【図４】実施例２の画像表示装置における切り替えタイミングを示す図。
【図５】本発明の実施例３である画像表示装置の構成を示すブロック図。
【図６】実施例３の画像表示装置における切り替えタイミングを示す図。
【発明を実施するための形態】
【００１８】
以下、本発明の実施例について図面を参照しながら説明する。
【実施例１】
【００１９】
図１には、本発明の実施例１である画像表示装置のうち映像信号（映像データ）の処理に関わる部分の構成を示している。画像表示装置には、液晶プロジェクタ、ＤＬＰ(Digital Light Processing)プロジェクタ等の画像投射装置や直視型の液晶モニタといった各種画像表示装置を含む。
【００２０】
画像表示装置は、書き込み処理部（圧縮手段）１０と、画像メモリ部（メモリ手段）１と、読み出し処理部（復元手段）２０と、画像処理部２と、同期検出部３と、出力クロック生成部４と、操作部５と、切り替えタイミング制御部（制御手段）６とを有する。
【００２１】
書き込み処理部１０は、図中に点線で示すように、圧縮部１１と、圧縮適用スイッチ１２と、書き込み制御部１３とを有する。書き込み処理部１０は、画像メモリ部１に書き込む映像データのフォーマットを変換したり画像メモリ部１における書き込みモードや書き込みアドレスを制御したりする。
圧縮部１１は、入力映像信号として入力された映像データ（入力映像データ）を圧縮することにより、該入力映像データよりもサイズが小さい圧縮映像データを生成する。ここにいう圧縮は、解像度変換、ビット幅縮小、減色等の非可逆圧縮処理である。  
【００２２】
圧縮適用スイッチ１２は、入力映像データが圧縮部１１を経由して画像メモリ部１に書き込まれる圧縮ルートを選択する状態と、圧縮部１１を迂回して画像メモリ部１に書き込まれる迂回ルートを選択する状態とに切り替え可能である。圧縮ルートを選択した状態は圧縮出力状態に相当し、迂回ルートを選択した状態は非圧縮出力状態に相当する。入力映像データが圧縮部１１を経由した場合は圧縮適用スイッチ１２の出力は圧縮映像データとなり、入力映像データが圧縮部１１を迂回した場合は圧縮適用スイッチ１２の出力は非圧縮映像データとなる。
【００２３】
書き込み制御部１３は、画像メモリ部１の書き込みモードの切り替えと圧縮適用スイッチ１２の切り替えとを制御する。書き込みモードには、第１のアクセスモード（第１のモード）と第２のアクセスモード（第２のモード）がある。第１のアクセスモードでは、映像データは１フレームごとに異なる書き込みアドレスに順次書き込まれる。各フレームの映像データは、１垂直同期期間だけ保持される。第２のアクセスモードでは、映像データの１フレームはそれぞれ複数ラインを含むサブフレーム領域（例えば、１フレームの半分の領域）に分割され、サブフレーム領域ごとに異なる書き込みアドレスに順次書き込まれる。各サブフレーム領域の映像データは、１サブフレーム期間だけ保持される。
【００２４】
書き込み制御部１３は、圧縮適用スイッチ１２にて選択されたルートに応じた映像データ量の違いに合わせて画像メモリ部１への１アクセスあたりの書き込み画素数を適切に制御し、書き込み画素数に応じて画像メモリ部１への書き込みアドレスを指定する。書き込みモードが変更されるタイミングは、同期検出部３から出力される同期信号に基づいて切り替えタイミング制御部６によって決定される。
【００２５】
画像メモリ部１では、書き込み制御部１３によって指定された書き込みアドレスに、圧縮適用スイッチ１２から出力された映像データ（圧縮映像データまたは非圧縮映像データ）が書き込まれる。画像メモリ部１は、読み出し処理部２０に対して、後述する読み出し制御部２３が指定するアドレスの映像データを出力する。
【００２６】
読み出し処理部２０は、図中に点線で示すように、復元部２１と、復元適用スイッチ２２と、読み出し制御部２３とを有する。読み出し処理部２０は、画像メモリ部１から読み出す映像データのフォーマットを変換したり画像メモリ部１からの読み出しモードやアドレスを制御したりする。
【００２７】
復元部２１は、圧縮部１１により圧縮された映像データ（圧縮映像データ）を元のサイズの映像データ（復元映像データ）へと復元する。
【００２８】
復元適用スイッチ２２は、画像メモリ部１から読み出された圧縮映像データが復元部２１を経由して出力される復元ルートを選択する状態（復元出力状態）と、復元部２１を迂回して出力される迂回ルートを選択する状態（非復元出力状態）とに切り替え可能である。復元適用スイッチ２２から出力された映像データは、画像処理部２に入力される。
【００２９】
読み出し制御部２３は、画像メモリ部１の読み出しモードの切り替えと復元適用スイッチ２２の切り替えとを制御する。読み出しモードには、前述した書き込みモードとしての第１のアクセスモードと第２のアクセスモードのそれぞれに対応する第１のアクセスモード（第１のモード）と第２のアクセスモード（第２のモード）がある。読み出しモードにおける第１のアクセスモードでは、画像メモリ部１から映像データが１フレームごとに順次読み出され、第２のアクセスモードでは、映像データが１サブフレーム領域ごとに順次読み出される。
【００３０】
画像メモリ部１から読み出される映像データは、画像処理部２により要求される映像領域の映像データに対応する。読み出し制御部２３は、復元適用スイッチ２２にて選択されたルートに応じた映像データ量の違いに合わせて画像メモリ部１への１アクセスあたりの読み出し画素数を適切に制御し、読み出し画素数に応じて画像メモリ部１からの読み出しアドレスを指定する。読み出しモードが変更されるタイミングは、出力クロック生成部４から出力される同期信号に基づいて切り替えタイミング制御部６によって決定される。
【００３１】
切り替えタイミング制御部６は、前述したように、同期検出部３から出力される同期信号に基づいて、書き込み制御部１３を通じて、画像メモリ部１の書き込みモードと圧縮適用スイッチ１２の切り替え（切り替えタイミング）を制御する。また、切り替えタイミング制御部６は、前述したように、出力クロック生成部４から出力される同期信号に基づいて、読み出し制御部２３を通じて、画像メモリ部１の読み出しモードと復元適用スイッチ２２の切り替え（切り替えタイミング）を制御する。
【００３２】
画像処理部２は、読み出し処理部２０から出力された映像データを、切り替えタイミング制御部６により設定された倍率の映像データに変換する解像度変換処理を行う。該解像度変換処理後の映像データは、不図示の表示部（例えば、液晶プロジェクタや液晶モニタであれば液晶パネル）に出力され、該表示部には設定倍率に応じた映像が表示される。
【００３３】
解像度変換処理において縮小または拡大の程度を大きくする場合、画像メモリ部１において映像データが書き込まれてから読み出されるまでに保持される時間を長くせざるを得ない。このため、より長い時間だけ映像データを保持できる第１のアクセスモードの方が第２のアクセスモードよりも有利となる。すなわち、より大きな縮小あるいは拡大率を実現しようとした場合は、画像メモリ部１に対して第１のアクセスモードで書き込み／読み出しを行う必要がある。
【００３４】
同期検出部３には、入力映像信号の同期成分が入力される。同期検出部３は、書き込み制御部１３に対して水平および垂直同期信号を供給し、切り替えタイミング制御部６に対して垂直同期信号を供給する。
【００３５】
出力クロック生成部４は、画像メモリ部１およびこれよりも後段の各部を動作させるための画素クロック、水平同期信号および垂直同期信号を出力する。
【００３６】
操作部５は、表示部に表示される映像の縮小あるいは拡大の倍率を設定するためにユーザにより操作されるボタン、ダイヤル、キーボード、ポインティングデバイス等の操作部材を有する。
【００３７】
切り替えタイミング制御部６は、操作部５からの入力をトリガとして、画像メモリ部１のアクセスモードと圧縮および復元適用スイッチ１２，２２のルートの選択（切り替え）を指示するとともに、画像処理部２に対する縮小あるいは拡大の倍率の設定を行う。アクセスモードとルートの選択は、入力映像データのサイズ（映像データ量）と画像メモリ部１のサイズ（容量）との大小関係と、画像処理部２の設定倍率とに依存して、以下の３つのケースに分かれる。
【００３８】
第１のケースは、入力映像データのサイズが画像メモリ部１のサイズよりも小さい場合である。この場合は、1フレームの映像データを１垂直期間だけ保持できる第１のアクセスモードを選択し、圧縮および復元適用スイッチ１２，２２は共に迂回ルートを選択する。
第２のケースは、入力映像データのサイズが画像メモリ部１のサイズよりも大きく、かつ画像処理部２での倍率が等倍またはこれに近い場合である。この場合は、圧縮ルートによる映像データサイズの縮小が不要である。このため、１サブフレームの映像データが１サブフレーム期間だけ保持される第２のアクセスモードを選択し、圧縮および復元適用スイッチ１２，２２は共に迂回ルートを選択する。
【００３９】
第３のケースは、入力映像データのサイズが画像メモリ部１のサイズよりも大きく、かつ画像処理部２での倍率が等倍とは大きく異なる場合である。この場合は、倍率が等倍とは大きく異なるため、画像メモリ部１に映像データが保持される時間を長くしなくてはならないため、圧縮ルートによる映像データサイズの縮小を必要とする。このため、１フレームの映像データを１垂直期間だけ保持できる第１のアクセスモードを選択し、圧縮適用スイッチ１２は圧縮ルートを、復元適用スイッチ２２は復元ルートを選択する。
【００４０】
このようにアクセスモードの選択と、圧縮／復元／迂回ルートの選択を適切に行うことにより、圧縮部１２で行なわれる非可逆圧縮処理によって画質が劣化するケースが少なくなる。
【００４１】
次に、図２を用いて、切り替えタイミング制御部６によるアクセスモードと圧縮／復元／迂回ルートの切り替えを実行するタイミング（制御方法）について説明する。切り替えタイミング制御部６は、内蔵メモリに格納されたコンピュータプログラムに従って以下の処理（ステップ）を実行する。
【００４２】
入力映像データのサイズが画像メモリ部１のサイズよりも大きい場合において、縮小あるいは拡大の倍率を変更する際に、その倍率によっては、アクセスモードとルートとを切り替えなくてはならない場合がある。その切り替えは、映像を表示したまま瞬時に行われ、さらに映像の途切れや乱れが生じないか目立たない程度に少ないことが望まれる。
【００４３】
図２（Ａ）には、（ａ）操作部５にて等倍から高倍率への拡大を指示する操作がなされた場合の（ｄ）圧縮適用スイッチ１２、（ｅ）書き込み制御部１３、（ｆ）復元適用スイッチ２２、（ｇ）読み出し制御部２３および（ｈ）画像処理部２の動作タイミングを示す。なお、図２（Ａ）の処理は、請求項１，７に対応する。
【００４４】
各動作タイミングは、書き込み処理部１０に入力される入力映像信号の垂直ブランキング期間（入力垂直ブランキング期間）および読み出し処理部２０から出力される出力映像信号の垂直ブランキング期間（出力垂直ブランキング期間）に実行する必要がある。本実施例では、入力垂直ブランキング期間の到来タイミングを示すものとして、（ｂ）同期検出部３から出力される垂直同期信号による割り込みを用いる。また、出力垂直ブランキング期間の到来タイミングを示すものとして、（ｃ）出力クロック生成部４から出力される垂直同期信号による割り込みを用いる。
【００４５】
操作部５において等倍から高倍率への拡大指示操作がなされてから、（ｂ）同期検出部３から出力される垂直同期信号を順番にＩＶ１，ＩＶ２，ＩＶ３，…とし、（ｃ）出力クロック生成部４から出力される垂直同期信号を順番にＯＶ１，ＯＶ２，ＯＶ３，…とする。ＯＶ１，ＯＶ２，ＯＶ３はそれぞれ、ＩＶ１，ＩＶ２，ＩＶ３の次（直後）に出力される。ただし、ＯＶ１，ＯＶ２，ＯＶ３がそれぞれ、ＩＶ１，ＩＶ２，ＩＶ３と同時に出力されるようにしてもよい。
【００４６】
ＩＶ１（第１の入力垂直ブランキング期間）では、書き込み制御部１３を通じて（ｄ）圧縮適用スイッチ１２を迂回ルートから圧縮ルートへと切り替える。
【００４７】
ＯＶ１（第１の入力垂直ブランキング期間の次の第１の出力垂直ブランキング期間）では、読み出し制御部２３を通じて（ｆ）復元適用スイッチ２２を迂回ルートから復元ルートへと切り替える。
【００４８】
ＩＶ２では、（ｅ）書き込み制御部１３を通じて、画像メモリ部１へのアクセスモード（書き込みモード）を第２のアクセスモードから第１のアクセスモードに切り替える。
【００４９】
ＯＶ２（第１の出力垂直ブランキング期間の次の第２の出力垂直ブランキング期間）では、（ｇ）読み出し制御部２３を通じて、画像メモリ部１へのアクセスモード（読み出しモード）を第２のアクセスモードから第１のアクセスモードに切り替える。
【００５０】
ＯＶ３では、（ｈ）画像処理部２での設定倍率を等倍から高倍率へと切り替える。
以上説明したアクセスモードと圧縮／復元／迂回ルートの切り替え処理を行うことで、表示部に表示される映像を等倍から高倍率に拡大する際（非可逆圧縮処理の適用切り替え時）における映像の乱れや途切れを無くしたり減少させたりすることができる。
【００５１】
処理能力に余裕があれば、ＩＶ１にてＩＶ２での処理も行い、ＯＶ１にてＯＶ２とＯＶ３での処理も行って、全体の切り替え処理に要する時間を短縮することも可能である。
【００５２】
図２（Ｂ）には、（ａ）操作部５にて高倍率から等倍への縮小を指示する操作がなされた場合の（ｄ）圧縮適用スイッチ１２、（ｅ）書き込み制御部１３、（ｆ）復元適用スイッチ２２、（ｇ）読み出し制御部２３および（ｈ）画像処理部２の動作タイミングを示す。この場合は、等倍から高倍率への拡大指示操作がなされた場合とは逆の順序で切り替えを行えばよい。なお、図２（Ｂ）の処理は、請求項２，８に対応する。
【００５３】
ＯＶ１では、（ｈ）画像処理部２での設定倍率を高倍率から等倍へと切り替える。
ＩＶ２では、（ｅ）書き込み制御部１３を通じて、画像メモリ部１へのアクセスモードを第１のアクセスモードから第２のアクセスモードに切り替える。
ＯＶ２（第１の出力垂直ブランキング期間）では、（ｇ）読み出し制御部２３を通じて、画像メモリ部１へのアクセスモードを第１のアクセスモードから第２のアクセスモードに切り替える。
ＩＶ３（第１の出力垂直ブランキング期間の次の第１の入力垂直ブランキング期間）では、書き込み制御部１３を通じて（ｄ）圧縮適用スイッチ１２を圧縮ルートから迂回ルートへと切り替える。
ＯＶ３（第１の入力垂直ブランキング期間の次の第２の出力垂直ブランキング期間）では、読み出し制御部２３を通じて（ｆ）復元適用スイッチ２２を復元ルートから迂回ルートへと切り替える。
【００５４】
以上説明したアクセスモードと圧縮／復元／迂回ルートの切り替え処理を行うことで、表示部に表示される映像を高倍率から等倍に縮小する際（非可逆圧縮処理の不適用切り替え時）に映像の途切れや乱れを無くしたり減少させたりすることができる。
【００５５】
処理能力に余裕があれば、ＩＶ３でＩＶ２での処理も行い、さらにＩＶ３と同時にＯＶ３が出力される場合には該ＩＶ３でＯＶ３での処理を行うことで、全体の切り替え処理に要する時間を短縮することも可能である。
【実施例２】
【００５６】
図３には、本発明の実施例２である画像表示装置のうち映像信号（映像データ）の処理に関わる部分の構成を示している。画像表示装置は、画像メモリ処理部（メモリ手段、圧縮手段および復元手段）３０、画像処理部２、同期検出部３、出力クロック生成部４、操作部５および切り替えタイミング制御部（制御手段）７を有する。画像処理部２、同期検出部３、出力クロック生成部４および操作部５は、実施例１と同じである。
【００５７】
画像メモリ処理部３０は、図中に点線で示すように、圧縮部３１、圧縮適用スイッチ３２、画像メモリ部３３、復元部３４、復元適用スイッチ３５およびアドレス制御部３６を有する。画像メモリ処理部３０は、入力映像データを画像メモリ部３３に記憶し、画像処理部２から要求される映像データを出力する。圧縮部３１、圧縮適用スイッチ３２、画像メモリ部３３、復元部３４および復元適用スイッチ３５はそれぞれ、実施例１にて説明した圧縮部１１、圧縮適用スイッチ１２、画像メモリ部１、復元部２１および復元適用スイッチ２２と同じ機能を有する。
【００５８】
アドレス制御部３６は、実施例１にて説明した書き込み制御部１３と読み出し制御部２３とが複合された機能を備え、画像メモリ部３３への書き込みアドレス（書き込みモード）と読み出しアドレス（読み出しモード）を制御する。書き込みモードおよび読み出しモードはそれぞれ、実施例１と同様に、第１のアクセスモードと第２のアクセスモードとを有する。第１のアクセスモードと第２のアクセスモードとの切り替えは、切り替えタイミング制御部７によって制御される。
【００５９】
切り替えタイミング制御部７は、操作部５からの入力をトリガとして、画像メモリ部３３のアクセスモードと圧縮および復元適用スイッチ３２，３５のルートの選択（切り替え）を指示するとともに、画像処理部２に対する縮小あるいは３５拡大の倍率の設定を行う。
【００６０】
次に、図４を用いて、切り替えタイミング制御部７によるアクセスモードと圧縮／復元／迂回ルートの切り替えを実行するタイミング（制御方法）について説明する。切り替えタイミング制御部７は、内蔵メモリに格納されたコンピュータプログラムに従って以下の処理（ステップ）を実行する。
【００６１】
図４（Ａ）には、（ａ）操作部５にて等倍から高倍率への拡大を指示する操作がなされた場合の（ｄ）圧縮適用スイッチ３２、（ｆ）復元適用スイッチ３５、（ｉ）アドレス制御部３６および（ｈ）画像処理部２の動作タイミングを示す。なお、図４（Ａ）の処理は、請求項１，７に対応する。
【００６２】
各動作タイミングは、画像メモリ処理部３０に入力される入力映像信号の垂直ブランキング期間（入力垂直ブランキング期間）および画像メモリ処理部３０から出力される出力映像信号の垂直ブランキング期間（出力垂直ブランキング期間）に実行する必要がある。本実施例でも、入力垂直ブランキング期間の到来タイミングを示すものとして、（ｂ）同期検出部３から出力される垂直同期信号による割り込みを用いる。また、出力垂直ブランキング期間の到来タイミングを示すものとして、（ｃ）出力クロック生成部４から出力される垂直同期信号による割り込みを用いる。
【００６３】
操作部５において等倍から高倍率への拡大指示操作がなされてから、（ｂ）同期検出部３から出力される垂直同期信号を順番にＩＶ１，ＩＶ２，ＩＶ３，…とし、（ｃ）出力クロック生成部４から出力される垂直同期信号を順番にＯＶ１，ＯＶ２，ＯＶ３，…とする。ＯＶ１，ＯＶ２，ＯＶ３はそれぞれ、ＩＶ１，ＩＶ２，ＩＶ３の次（直後）に出力される。ただし、ＯＶ１，ＯＶ２，ＯＶ３がそれぞれ、ＩＶ１，ＩＶ２，ＩＶ３と同時に出力されるようにしてもよい。
【００６４】
ＩＶ１（第１の入力垂直ブランキング期間）では、（ｄ）圧縮適用スイッチ３２を迂回ルートから圧縮ルートへと切り替える。
【００６５】
ＯＶ１（第１の入力垂直ブランキング期間の次の第１の出力垂直ブランキング期間）では、（ｆ）復元適用スイッチ３５を迂回ルートから復元ルートへと切り替える。
【００６６】
ＯＶ２（第１の出力垂直ブランキング期間の次の第２の出力垂直ブランキング期間）では、（ｉ）アドレス制御部３６を通じて、画像メモリ部３３へのアクセスモード（書き込み／読み出しモード）を第２のアクセスモードから第１のアクセスモードに切り替える。
【００６７】
ＯＶ３では、（ｈ）画像処理部２での設定倍率を等倍から高倍率へと切り替える。
【００６８】
以上説明したアクセスモードと圧縮／復元／迂回ルートの切り替え処理を行うことで、表示部に表示される映像を等倍から高倍率に拡大する際に映像の途切れや乱れを無くしたり減少させたりすることができる。
【００６９】
処理能力に余裕があれば、ＯＶ１にてＯＶ２とＯＶ３での処理も行って、全体の切り替え処理に要する時間を短縮することも可能である。
【００７０】
図４（Ｂ）には、（ａ）操作部５にて高倍率から等倍への縮小を指示する操作がなされた場合の（ｄ）圧縮適用スイッチ３２、（ｆ）復元適用スイッチ３５、（ｉ）アドレス制御部３６および（ｈ）画像処理部２の動作タイミングを示す。この場合は、等倍から高倍率への拡大指示操作がなされた場合とは逆の順序で切り替えを行えばよい。なお、図４（Ｂ）の処理は、請求項２，８に対応する。
【００７１】
ＯＶ１では、（ｈ）画像処理部２での設定倍率を高倍率から等倍へと切り替える。
ＯＶ２（第１の出力垂直ブランキング期間）では、（ｉ）アドレス制御部３６を通じて、画像メモリ部３３へのアクセスモード（書き込み／読み出しモード）を第１のアクセスモードから第２のアクセスモードに切り替える。
【００７２】
ＩＶ３（第１の出力垂直ブランキング期間の次の第１の入力垂直ブランキング期間）では、（ｄ）圧縮適用スイッチ３２を圧縮ルートから迂回ルートへと切り替える。
ＯＶ３（第１の入力垂直ブランキング期間の次の第２の出力垂直ブランキング期間）では、（ｆ）復元適用スイッチ３５を復元ルートから迂回ルートへと切り替える。
以上説明したアクセスモードと圧縮／復元／迂回ルートの切り替え処理を行うことで、表示部に表示される映像を高倍率から等倍に縮小する際に映像の途切れや乱れを無くしたり減少させたりすることができる。
【００７３】
処理能力に余裕があり、かつＩＶ３と同時にＯＶ３が出力される場合には該ＩＶ３でＯＶ３での処理もを行うことで、全体の切り替え処理に要する時間を短縮することも可能である。
【実施例３】
【００７４】
図５には、本発明の実施例３である画像表示装置のうち映像信号（映像データ）の処理に関わる部分の構成を示している。画像表示装置は、画像メモリ処理部４０、画像処理部２、同期検出部３、出力クロック部５０、操作部５および切り替えタイミング制御部８を有する。画像処理部２、同期検出部３および操作部５は、実施例１，２と同じである。
【００７５】
画像メモリ処理部４０は、図中に点線で示すように、圧縮部４１、圧縮適用スイッチ４２、画像メモリ部４３、復元部４４、復元適用スイッチ４５、ルート制御部４６およびアドレス制御部４７を有する。ルート制御部４６を有する点で、実施例２における画像メモリ処理部３０と異なる。
【００７６】
ルート制御部４６は、圧縮適用スイッチ４２を圧縮ルートに設定し、復元適用スイッチ４５を復元ルートに設定する圧縮復元ルートと、圧縮適用スイッチ４２および復元適用スイッチ４５をともに迂回ルートに設定する迂回ルートとを切り替える。ルートの切り替えは、切り替えタイミング制御部８により制御される。
【００７７】
出力クロック部５０は、図中に点線で示すように、出力クロック生成部５１および遅延調整部５２を有する。出力クロック部５０は、画像メモリ部４３およびこれよりも後段の各部を動作させる画素クロック、水平同期信号、および入力された垂直同期信号と同周期で任意に位相を設定できる垂直同期信号を出力する。
【００７８】
出力クロック生成部５１は、画像メモリ部４３およびこれよりも後段の各部を動作させる画素クロック、水平同期信号、および遅延調整部５２にて指定される周期と位相とで生成された垂直同期信号を出力する。
【００７９】
遅延調整部５２は、出力クロック生成部５１が出力する垂直同期信号の周期を同期検出部３から出力される垂直同期信号の周期に同調させ、さらにその位相を任意に設定する。位相は、切り替えタイミング制御部８によって、ティアリング（表示映像として、あるラインを境に上と下とで異なるフレームの映像が表示される現象）が発生しないように適当な量が指定される。本実施例では、充分なマージンを持った遅延時間が設定される通常遅延モードと、通常遅延モードよりも短い遅延時間（例えば、設定し得る最小の遅延時間）が設定される低遅延モードとを指定できる。
【００８０】
切り替えタイミング制御部８は、操作部５からの入力をトリガとして、画像メモリ部１のアクセスモードと圧縮および復元適用スイッチ４２，４５のルートの選択（切り替え）を指示するとともに、画像処理部２に対する縮小あるいは３５拡大の倍率の設定を行う。
【００８１】
次に、図６を用いて、切り替えタイミング制御部８によるアクセスモードと圧縮復元ルート／迂回ルートの切り替えを実行するタイミング（制御方法）について説明する。切り替えタイミング制御部８は、内蔵メモリに格納されたコンピュータプログラムに従って以下の処理（ステップ）を実行する。
【００８２】
図６（Ａ）には、（ａ）操作部５にて等倍から高倍率への拡大を指示する操作がなされた場合の（ｊ）遅延調整部５２、（ｄ）圧縮適用スイッチ４２、（ｆ）復元適用スイッチ４５、（ｉ）アドレス制御部４７および（ｈ）画像処理部２の動作タイミングを示す。なお、図６（Ａ）の処理は、請求項３，４，９に対応する。
【００８３】
各動作タイミングは、画像メモリ処理部４０に入力される入力映像信号の垂直ブランキング期間（入力垂直ブランキング期間）および画像メモリ処理部４０から出力される出力映像信号の垂直ブランキング期間（出力垂直ブランキング期間）に実行する必要がある。本実施例でも、入力垂直ブランキング期間の到来タイミングを示すものとして、（ｂ）同期検出部３から出力される垂直同期信号による割り込みを用いる。また、出力垂直ブランキング期間の到来タイミングを示すものとしては、（ｃ）出力クロック生成部５１から出力される垂直同期信号による割り込みを用いる。
【００８４】
操作部５において等倍から高倍率への拡大指示操作がなされてから、（ｂ）同期検出部３から出力される垂直同期信号を順番にＩＶ１，ＩＶ２，ＩＶ３，ＩＶ４，…とする。また、（ｃ）出力クロック生成部５１から出力される垂直同期信号を順番にＯＶ１，ＯＶ２，ＯＶ３，ＯＶ４，…とする。ＯＶ１，ＯＶ２，ＯＶ３，ＯＶ４はそれぞれ、ＩＶ１，ＩＶ２，ＩＶ３，ＩＶ４の次（直後）に出力される。ただし、ＯＶ１，ＯＶ２，ＯＶ３，ＯＶ４がそれぞれ、ＩＶ１，ＩＶ２，ＩＶ３，ＩＶ４と同時に出力されるようにしてもよい。
【００８５】
ＩＶ１では、（ｊ）遅延調整部５２を通常遅延モードから低遅延モードへと切り替える。この遅延モードの切り替えは即適用され、その直後のＯＶ１のＩＶ１に対する遅延時間は、ＯＶ１以外（第１の出力垂直ブランキング期間以外）のＯＶ２，ＯＶ３，ＯＶ４のそれらの直前のＩＶ２，ＩＶ３，ＩＶ４に対する遅延時間よりも短くなる。つまり、ＯＶ１は、ＯＶ２，ＯＶ３，ＯＶ４がそれらの直前のＩＶ２，ＩＶ３，ＩＶ４の後に到来するよりも速くＩＶ１の後に到来する。
【００８６】
ＯＶ１（第１の出力垂直ブランキング期間）では、ルート制御部４６を迂回ルートから圧縮復元ルートに切り替えて、（ｄ）圧縮適用スイッチ４２を迂回ルートから圧縮ルートに、（ｆ）復元適用スイッチ４５を迂回ルートから復元ルートに切り替える。
【００８７】
ＩＶ２（第１の入力垂直ブランキング期間）では、（ｊ）遅延調整部５２を低遅延モードから通常遅延モードへと切り替える。この遅延モードの切り替えは即適用され、その直後のＯＶ２は、ＩＶ２に対して通常の遅延時間の後で到来する。
【００８８】
ＯＶ２（第１の出力／入力垂直ブランキング期間の次の第２の出力垂直ブランキング期間）では（ｉ）アドレス制御部４７を通じて画像メモリ部４３へのアクセスモード（書き込み／読み出しモード）を第２のアクセスモードから第１のアクセスモードに切り替える。
ＯＶ３では、（ｈ）画像処理部２での設定倍率を等倍から高倍率へと切り替える。
【００８９】
以上説明したアクセスモードと圧縮復元ルート／迂回ルートの切り替え処理を行うことで、表示部に表示される映像を等倍から高倍率に拡大する際に映像の途切れや乱れを無くしたり減少させたりすることができる。
【００９０】
低遅延モードにおいてＯＶ１が入力映像信号の垂直ブランキング期間中に到来すれば、表示映像に乱れは発生しない。また、ＯＶ１が入力映像信号の有効領域に掛かってしまった場合においても表示映像の乱れを少なく抑えることができる。
【００９１】
処理能力に余裕があれば、ＯＶ１にてＯＶ２とＯＶ３での処理も行って、全体の切り替え処理に要する時間を短縮することも可能である。また、ＯＶ１での処理を、ＩＶ２にて行ってもよい。
【００９２】
図６（Ｂ）には、（ａ）操作部５にて高倍率から等倍への縮小を指示する操作がなされた場合の（ｊ）遅延調整部５２、（ｄ）圧縮適用スイッチ４２、（ｆ）復元適用スイッチ４５、（ｉ）アドレス制御部４７および（ｈ）画像処理部２への動作タイミングを示す。この場合は、等倍から高倍率への拡大指示操作がなされた場合とは逆の順序で切り替えを行えばよい。なお、図６（Ｂ）の処理は、請求項５，６，１０に対応する。
ＯＶ１では、（ｈ）画像処理部２での設定倍率を高倍率から等倍へと切り替える。
【００９３】
ＯＶ２（第１の出力垂直ブランキング期間）では、（ｉ）アドレス制御部４７を通じて、画像メモリ部４３へのアクセスモード（書き込み／読み出しモード）を第１のアクセスモードから第２アクセスモードに切り替える。
【００９４】
ＩＶ３では、（ｊ）遅延調整部５２を通常遅延モードから低遅延モードへと切り替える。この遅延モードの切り替えは即適用され、その直後のＯＶ３のＩＶ３に対する遅延時間は、ＯＶ３以外（第２の出力垂直ブランキング期間以外）のＯＶ１，ＯＶ２，ＯＶ４のそれらの直前のＩＶ１，ＩＶ２，ＩＶ４に対する遅延時間よりも短くなる。つまり、ＯＶ３は、ＯＶ１，ＯＶ２，ＯＶ４がそれらの直前のＩＶ１，ＩＶ２，ＩＶ４の後に到来するよりも速くＩＶ３の後に到来する。
【００９５】
ＯＶ３（第１の出力垂直ブランキング期間の次の第２の出力垂直ブランキング期間）では、ルート制御部４６を圧縮復元ルートから迂回ルートに切り替える。これによって、（ｄ）圧縮適用スイッチ４２を圧縮ルートから迂回ルートに、（ｆ）復元適用スイッチ４５を復元ルートから迂回ルートに切り替える。
【００９６】
ＩＶ４（第２の出力垂直ブランキング期間の次の第１の入力垂直ブランキング期間）では、（ｊ）遅延調整部５２を低遅延モードから通常遅延モードへと切り替える。この遅延モードの切り替えは即適用され、その直後のＯＶ４は、ＩＶ４に対して通常の遅延時間の後で到来する。
【００９７】
以上説明したアクセスモードと圧縮復元ルート／迂回ルートの切り替え処理を行うことで、表示部に表示される映像を高倍率から等倍に縮小する際に映像の途切れや乱れを無くしたり減少させたりすることができる。
【００９８】
低遅延モードにおいて、ＯＶ３が入力映像信号の垂直ブランキング期間中に到来すれば、表示映像に乱れは発生しない。また、ＯＶ３が入力映像信号の有効領域に掛かってしまった場合においても、表示映像の乱れを少なく抑えることができる。
【００９９】
処理能力に余裕があれば、ＯＶ１にてＯＶ２での処理も行って、全体の切り替え処理に要する時間を短縮することも可能である。また、ＯＶ３での処理を、ＩＶ４にて行ってもよい。
【０１００】
以上説明した各実施例は代表的な例にすぎず、本発明の実施に際しては、各実施例に対して種々の変形や変更が可能である。
【０１０１】
例えば、各実施例は、画像処理部２が解像度変換処理を行う場合について説明したが、キーストーン補正処理においても補正角度の値に応じてアクセスモードに同様の制約ができるため、画像処理部２がキーストーン補正処理を行ってもよい。
【産業上の利用可能性】
【０１０２】
非可逆圧縮処理の適用／不適用の切り替え時における映像の乱れや途切れの発生が少ない画像表示装置を提供できる。
【符号の説明】
【０１０３】
１  画像メモリ部
６  切り替えタイミング制御部
１０  書き込み処理部
２０  読み出し処理部
【図１】
0005460405.tif 000002
【図２】
0005460405.tif 000003
【図３】
0005460405.tif 000004
【図４】
0005460405.tif 000005
【図５】
0005460405.tif 000006
【図６】
0005460405.tif 000007